(57)【特許請求の範囲】
【請求項１】
吸気口と吹出口を有した本体と、前記本体内に前記吸気口と前記吹出口を連通するように設けられた通風路と、前記通風路に設けられ前記吸気口から吸気した空気を清浄化するフィルターと、前記通風路に設けられ前記フィルターに通風する送風手段を有し、前記吸気口は少なくとも前記本体の前面下部に設けられる下方吸気口と、本体側面に設けられる側方吸気口からなり、この側方吸気口は本体上方より本体下方において相対的に開口面積が大きく形成されるとともに、前記フィルターを前記本体内で前傾して設けてなる空気清浄機。
【請求項２】
本体の前面下部に床面に向かい傾斜する傾斜部を備え、前記傾斜部に下方吸気口を設けてなる請求項１記載の空気清浄機。
【請求項３】
本体側面の側方吸気口を縦長形状に設け、この側方吸気口は下方の幅寸法が上方の幅寸法より大とした請求項１または２に記載の空気清浄機。
【請求項４】
側方吸気口は、フィルターの傾斜方向に略平行な傾斜辺を備えてなる請求項３記載の空気清浄機。
【請求項５】
側方吸気口の下部に横長形状の第２の側方吸気口を設けた請求項３または４記載の空気清浄機。
【請求項６】
本体天面のフィルター上方に位置して設けられた開口部と、この開口部を開閉する蓋部を備え、前記開口部からフィルターを着脱可能に設けた請求項１〜５に記載の空気清浄機。
【請求項７】
蓋部に一体的に連結された連結手段を有し、前記蓋部を操作することにより連結手段を介して前記フィルターを本体内に着脱可能に設けた請求項６に記載の空気清浄機。
【請求項８】
連結手段は、フィルターを着脱可能に保持する枠体により、蓋部に一体的に連結して構成されてなる請求項７記載の空気清浄機。
【請求項９】
送風手段は遠心送風機からなり、この遠心送風機をフィルターの下流側にフィルターに面して前傾して配置するとともに、前記遠心送風機の前傾する吐出方向に面して本体天面に吹出口を設けてなる請求項１記載の空気清浄機。
【請求項１０】
送風手段は遠心送風機からなり、この遠心送風機をフィルターの下流側で本体内の後部に垂直に配置し、前記遠心送風機の吐出方向に面して本体天面の吹出口を設けるとともに、前記本体天面には前記吹出口と前記フィルターの間に操作部および制御部を配置した請求項１記載の空気清浄機。
【発明の詳細な説明】
【技術分野】
【０００１】
本発明は、本体の下部に設けた吸込口から室内空気を取り入れてフィルターにより清浄化して、本体天面に設けた吹出口から清浄空気を室内に吹き出す空気清浄機に関する。
【背景技術】
【０００２】
従来、この種の空気清浄機は、複数の吸気口の吸気比率や吸気方向を変更できるものが知られている（例えば、特許文献１参照）。
【０００３】
以下、その空気清浄機について図１０を参照しながら説明する。
【０００４】
図に示すように、本体１０１は前面吸気口１０２および下部吸気口１０３とを備え、下部吸気口１０３は前カバー１０４の下端部付近に開口するとともに、前面吸気口１０２より開口面積を大としたことにより、卓上面または床面に滞留する汚染空気を効率的に除去できるように構成されている。
【特許文献１】特開２００７−２１３５３号公報
【発明の開示】
【発明が解決しようとする課題】
【０００５】
このような従来の空気清浄機では、床面付近に堆積または浮遊するダニの糞や死骸、花粉などの粒径大なる粉塵を吸い込むために、本体下部に吸込口を設けているが、本体下部の吸込口の開口面積が小さく、また本体下部の吸込口からフィルターに至る間で通風方向が大きく変化することにより、吸引力が充分得られないとともに、スムーズにフィルターに案内されないため、粒径大なる粉塵を十分に吸気して清浄化することができず、床面付近の粉塵に対して空気清浄機能を十分に発揮できないという課題がある。
【０００６】
本発明は、このような従来の課題を解決するものであり、本体下部の吸込口の開口面積を大きくして吸込風量を増加できるとともに、本体下部の吸気口からフィルターに至る通風方向の変化を少なくして吸引力を高めるとともに、吸引したに粒径大なる粉塵をフィルターに円滑に案内して清浄化することができる空気清浄機を提供することを目的とする。
【課題を解決するための手段】
【０００７】
本発明の空気清浄機は、上記目的を達成するために、吸気口と吹出口を有した本体と、前記本体内に前記吸気口と前記吹出口を連通するように設けられた通風路と、前記通風路に設けられ前記吸気口から吸気した空気を清浄化するフィルターと、前記通風路に設けられ前記フィルターに通風する送風手段を有し、前記吸気口は少なくとも前記本体の前面下部に設けられる下方吸気口と、本体側面に設けられる側方吸気口からなり、この側方吸気口は本体上方より本体下方において相対的に開口面積が大きく形成されるとともに、前記フィルターを前記本体内で前傾して設けてなるものである。
【０００８】
また、他の手段は、本体の前面下部に床面に向かい傾斜する傾斜部を備え、前記傾斜部に下方吸気口を設けてなるものである。
【０００９】
また、他の手段は、本体側面の側方吸気口を縦長形状に設け、この側方吸気口は下方の幅寸法が上方の幅寸法より大としたものである。
【００１０】
また、他の手段は、側方吸気口は、フィルターの傾斜方向に略平行な傾斜辺を備えてなるものである。
【００１１】
また、他の手段は、側方吸気口の下部に横長形状の第２の側方吸気口を設けたものである。
【００１２】
また、他の手段は、本体天面のフィルター上方に位置して設けられた開口部と、この開口部を開閉する蓋部を備え、前記開口部からフィルターを着脱可能に設けたものである。
【００１３】
また、他の手段は、蓋部に一体的に連結された連結手段を有し、前記蓋部を操作することにより連結手段を介して前記フィルターを本体内に着脱可能に設けた請求項６に記載の空気清浄機。
【００１４】
また、他の手段は、連結手段がフィルターを着脱可能に保持する枠体により、蓋部に一体的に連結して構成されてなるものである。
【００１５】
また、他の手段は、送風手段は遠心送風機からなり、この遠心送風機をフィルターの下流側にフィルターに面して前傾して配置するとともに、前記遠心送風機の前傾する吐出方向に面して本体天面に吹出口を設けてなるものである。
【００１６】
また、他の手段は、送風手段は遠心送風機からなり、この遠心送風機をフィルターの下流側で本体内の後部に垂直に配置し、前記遠心送風機の吐出方向に面して本体天面の吹出口を設けるとともに、前記本体天面には前記吹出口と前記フィルターの間に操作部および制御部を配置したものである。
【発明の効果】
【００１７】
本発明によれば、床面付近など室内の低域空間に多く分布するダニの糞や死骸、花粉等の粒径が大きい粉塵を十分に吸気して捕集効率を高めるとともに、粉塵保持量大なるフィルターを用いて交換頻度の少なくできるという効果のある空気清浄機を提供することができる。
【００１８】
また、本体の前面下部に床面に面した傾斜部に下方吸気口を設けることで、下方吸気口の開口面積を大きくできるので、吸気量を増やして床面付近に漂う粒径の大きい粉塵を直線的にフィルターに案内して、捕集効率を高めることができる。
【００１９】
また、縦長形状の側方吸気口は本体下部の開口面積を相対的に大きくできるので、低域空間に多く分布する粒径大なる粉塵を多く吸気することができ、ダニの糞などのアレルゲン物質を積極的に清浄化して室内環境を改善することができる。
【００２０】
また、側方吸気口の開口形状をフィルターの吸気面に沿うような形状とすることで、通風距離を均等化かつ短縮して、フィルターの表面全体に汚染空気を通気できる。
【００２１】
また、側方吸気口に加えて横長形状の第２の側方吸気口を設けることにより、吸気口の開口面積を床面に近づけて拡大することができ、粒径大なる粉塵を多く吸気して、アレルゲン物質を効果的に広範囲に浄化することができる。
【００２２】
また、従来のような本体から前面パネルを分離して、フィルターを前面に引き出す交換作業をする必要がなく、本体天面から簡単にフィルター交換を行うことができ、また安全対策として目の細かい格子部材を送風装置の前に設ける必要がなく、通風量が増加して空気清浄能力を向上させることができる。
【００２３】
また、蓋部と連結手段とを一体的に連結することにより、連結手段を介して本体内からフィルターを引き出せ、フィルターに付着した粉塵にほとんど触れることなくフィルターを交換きるので、交換作業が容易となり、使い勝手のよい空気清浄機を提供できる。
【００２４】
また、蓋部と一体的に連結した枠体によりフィルターを保持できるので、剛性の低いフィルターでも変形を防止して浄化機能を充分発揮することができ、フィルター交換がしやすく、消耗部品の費用軽減した使い勝手の良い空気清浄機とすることができる。
【００２５】
また、遠心送風機を前傾して配置することにより、フィルターと遠心送風機を十分に近接することができ、遠心送風機を前傾して配置するので、風向変更のルーバーなどを設けなくても本体を壁際に配置して室内の中央に向けて吹き出すことができる。
【００２６】
また、遠心送風機を後部に垂直に配置して本体天面に吹出口を配置したことで、運転条件を変更する操作部と制御部を、フィルターと遠心ファンの間の空間に設けることができ、本体内のデッドスペースを有効利用して、操作部を本体正面の適正な位置に設け、操作性を向上することができる。
【発明を実施するための最良の形態】
【００２７】
本発明の請求項１記載の空気清浄機は、吸気口と吹出口を有した本体と、前記本体内に前記吸気口と前記吹出口を連通するように設けられた通風路と、前記通風路に設けられ前記吸気口から吸気した空気を清浄化するフィルターと、前記通風路に設けられ前記フィルターに通風する送風手段を有し、前記吸気口は少なくとも前記本体の前面下部に設けられる下方吸気口と、本体側面に設けられる側面吸気口からなり、この側面吸気口は本体上方より本体下方において相対的に開口面積が大きく形成されるとともに、前記フィルターを前記本体内で前傾して設けたものであり、本体の前面下部に下方吸気口を設け、側面吸気口は本体上方より本体下方において相対的に開口面積を大きく形成しているので、本体の下方吸気口および側面吸気口から床面付近の汚染空気を大量に吸い込むことができるとともに、空気を清浄化するフィルターを本体内で前傾して設けることで、それぞれの吸気口から吸い込んだ空気がフィルターまで、大きな方向変更なしにスムーズに案内され、汚染空気の捕集効率を高めることができ、さらに、フィルターを本体内で前傾して設けることで、高さ寸法大なるフィルターを配置できることとなり、表面積や粉塵保持量大なるフィルターが使用できるので、フィルターの交換頻度を少なくすることができるという作用を有する。
【００２８】
また、本体の前面下部に床面に向かい傾斜する傾斜部を備え、前記傾斜部に下方吸気口を設けたものであり、本体の前面下部に床面に面した傾斜部を設けて、この傾斜部に下方吸気口を設けることで、下方吸気口が床面方向に前傾して設けられるので、傾斜部に形成した下方吸気口の開口面積を大きくできるので、吸気量を増やすことができるとともに、床面付近に漂う粒径の大きい粉塵を、下方吸気口から直線的にフィルターに案内して、フィルターの捕集効率を高めることができるという作用を有する。
【００２９】
また、本体側面の側方吸気口を縦長形状に設け、この側方吸気口は下方の幅寸法が上方の幅寸法より大としたものであり、本体側面に設けた縦長形状の側方吸気口は、下方の幅寸法が上方の幅寸法より大きくすることにより、本体下部に位置する側方吸気口の開口面積を相対的に大きくできるので、床面付近など室内の低域空間に多く分布する粒径大なる粉塵を、上方空間に浮遊する粒径小なる汚染空気に比べて多く吸気することができ、ダニの糞などのアレルゲン物質を積極的に清浄化して室内環境を改善することができるという作用を有する。
【００３０】
また、側方吸気口は、フィルターの傾斜方向に略平行な傾斜辺を備えたものであり、側方吸気口をフィルターの傾斜方向に略平行な傾斜辺を備えることで、側方吸気口の開口形状をフィルターの吸気面に合わせた形状とすることができ、側方吸気口とフィルターの間の通風距離を均等化し、かつ短縮することができるので、フィルターの表面全体に汚染空気を通気させることができるという作用を有する。
【００３１】
また、側方吸気口の下部に横長形状の第２の側方吸気口を設けたものであり、側方吸気口に加えて側方吸気口の下部に横長形状の第２の側方吸気口を設けることにより、床面付近の本体下部に配置される吸気口の開口面積を床面に近づけて拡大することができ、床面付近の低域空間に存在する粒径大なる粉塵を多く吸気することができるので、ダニの糞などのアレルゲン物質を広範囲に浄化することができるという作用を有する。
【００３２】
また、本体天面のフィルター上方に位置して設けられた開口部と、この開口部を開閉する蓋部を備え、前記開口部からフィルターを着脱可能に設けたものであり、本体天面にフィルター取出口としての開口部を設け、この開口部を開閉する蓋部を設けることにより、通常使用時は蓋部により開口部を閉鎖してフィルターの空気清浄機能を発揮させ、フィルターを交換する場合には、蓋部を外して開口部を開き、本体内部に配置されているフィルターを、本体内部のフィルターガイドに沿って開口部方向へスライドさせることにより、開口部から本体外へ取り出し、つぎに新しいフィルターを挿入して開口部に蓋部を装着すれば交換作業が完了するので、従来のような本体から前面パネルを分離して、本体に組み込まれたフィルターを前面に引き出す手間のかかる交換作業をする必要がなく、本体天面から簡単にフィルター交換を行うことができるという作用を有する。
【００３３】
また、蓋部に一体的に連結された連結手段を有し、前記蓋部を操作することにより連結手段を介して前記フィルターを本体内に着脱可能に設けたものであり、連結手段は蓋部とフィルターを連結するものであり、蓋部と連結手段とを一体的に連結することにより、フィルターを交換するときには、蓋部の側面に設けた取手部を利用して蓋部を引き上げることで、連結手段を介して本体内からフィルターを引き出すことができ、フィルターに付着した粉塵にほとんど触れることなく、フィルターを交換することができるので、交換作業が容易にできるという作用を有する。
【００３４】
また、連結手段は、フィルターを着脱可能に保持する枠体により、蓋部に一体的に連結して構成したものであり、蓋部と一体に構成され、フィルターをはめ込むことが可能な枠体により連結手段を構成することにより、フィルターを交換するときには、蓋部に設けた取手部を利用して蓋部を引き上げることで、本体内部からフィルターを引き出すことができ、フィルターに付着した粉塵にほとんど触れることなくフィルターを交換することができるとともに、蓋部と一体的に連結した枠体によりフィルターを保持することができるので、剛性の低い構造のフィルターでも枠体により平面形状を維持して、フィルター機能を充分発揮することができ、蓋部を用いた着脱操作時においてフィルターの変形を防止できるので、フィルター交換がしやすく使い勝手の良い空気清浄機とすることができる。また、枠体がフィルターの補強部材として機能するので、交換部品をフィルターのみとすることができ、消耗部品の費用を軽減することができるという作用を有する。
【００３５】
また、送風手段は遠心送風機からなり、この遠心送風機をフィルターの下流側にフィルターに面して前傾して配置するとともに、前記遠心送風機の前傾する吐出方向に面して本体天面に吹出口を設けたものであり、送風手段としての遠心送風機を、フィルターの下流側にフィルターに面して前傾して配置することにより、フィルターと遠心ファンを十分に近接して配置することができ、遠心送風機の前傾する吐出方向に面して本体天面に吹出口を設ける構成とすることで、フィルターと遠心送風機の間の通風路が短くなり、通風方向の変化も少ないので、圧損が小さくなるとともに、本体内で遠心ファンを前傾して配置されるので、吹出口に風向を変更するためのルーバーなどを設けなくても、浄化空気を仰角方向に吹き出すことができ、本体を壁際に配置して清浄化した空気を室内の中央に向けて吹き出すことができるという作用を有する。
【００３６】
また、送風手段は遠心送風機からなり、この遠心送風機をフィルターの下流側で本体内の後部に垂直に配置し、前記遠心送風機の吐出方向に面して本体天面の吹出口を設けるとともに、前記本体天面には前記吹出口と前記フィルターの間に操作部および制御部を配置したものであり、送風手段としての遠心送風機をフィルターの下流側の本体内の後部に垂直に配置するとともに、遠心送風機の吐出方向に面して本体天面に吹出口を配置したことで、空気清浄機の運転停止や風量などの運転条件を変更する操作部と、この操作部からの指令に基づいて空気清浄機の動作を制御する制御部を、フィルターと遠心ファンの間の空間に設けることができる。これにより、本体内のデッドスペースを有効利用できるとともに、操作部を本体正面の適正な位置に設けることができるので操作性を向上することができるという作用を有する。
【００３７】
以下、本発明の実施の形態について、図面を参照しながら説明する。
【００３８】
（実施の形態１）
図１〜図３に示すように、本体１の下部に下方吸気口２を設け、本体１側面に側方吸気口３を設け、本体天面１ａに吹出口４を設けている。本体１の前面下部には床面に向かい傾斜する傾斜部８を備え、傾斜部８に下方吸気口２を設けている。本体１内に各吸気口２，３と吹出口４を連通するように通風路５を設け、通風路５に各吸気口２，３から吸気した空気を清浄化するフィルター６と、フィルター６に通風する送風手段としての遠心送風機７を設け、フィルター６を本体１内で前傾して設けている。側方吸気口３は本体１上方より本体１下方において相対的に開口面積が大きく形成される。すなわち、本体１側面の側方吸気口３を縦長形状に設け、この側方吸気口３は下方の幅寸法が上方の幅寸法より大としている。また、側方吸気口３は、フィルター６の傾斜方向に略平行な傾斜辺３ａを備えた構成としている。なお、側方吸気口３の下部に横長形状の第２の側方吸気口９を設けた構成としてもよいものである。
【００３９】
上記構成により、本体１の前面下部に下方吸気口２を設け、側方吸気口３は本体１上方より本体１下方において相対的に開口面積を大きく形成しているので、本体１の下方吸気口２および側方吸気口３から床面付近の汚染空気を大量に吸い込むことができるとともに、空気を清浄化するフィルター６を本体１内で前傾して設けることで、それぞれの吸気口２，３から吸い込んだ空気がフィルター６まで、大きな方向変更なしにスムーズに案内され、汚染空気の捕集効率を高めることができる。さらに、フィルター６を本体１内で前傾して設けることで、高さ寸法大なるフィルター６を配置できることとなり、表面積や粉塵保持量大なるフィルター６が使用できるので、フィルター６の交換頻度を少なくすることができる。
【００４０】
また、本体１の前面下部に床面に面した傾斜部８を設けて、この傾斜部８に下方吸気口２を設けることで、下方吸気口２が床面方向に前傾して設けられ、さらに傾斜部８に形成した下方吸気口２の開口面積を大きくできるので、吸気量を増やすことができるとともに、床面付近に漂う粒径の大きい粉塵を、下方吸気口２から直線的にフィルター６に案内して、フィルター６の捕集効率を高めることができる。
【００４１】
これらにより、床面付近など室内の低域空間に多く分布するダニの糞や死骸、花粉等の粒径が大きい粉塵をさらに多く吸気することができ、より効率的に空気浄化することが可能となる。
【００４２】
また、本体１側面に設けた縦長形状の側方吸気口３は、下方の幅寸法を上方の幅寸法より大きくすることにより、本体１下部に位置する側方吸気口３の開口面積を相対的に大きくできるので、床面付近など室内の低域空間に多く分布する粒径大なる粉塵を、上方空間に浮遊する粒径小なる汚染空気に比べて多く吸気することができ、ダニの糞などのアレルゲン物質を積極的に清浄化して室内環境を改善することができる。
【００４３】
また、側方吸気口３をフィルター６の傾斜方向に略平行な傾斜辺３ａを備えることで、側方吸気口３の開口形状をフィルター６の吸気面に合わせた形状とすることができ、側方吸気口３とフィルター６の間の通風距離を均等化し、かつ短縮することができるので、フィルター６の表面全体に汚染空気を通気させることができる。
【００４４】
また、側方吸気口３に加えて側方吸気口３の下部に横長形状の第２の側方吸気口９を設けることにより、吸気口の開口面積を床面に近づけて拡大することができ、床面付近の低域空間に存在する粒径大なる粉塵を多く吸気することができるので、ダニの糞などのアレルゲン物質を広範囲に吸気して浄化することができる。
【００４５】
（実施の形態２）
図４〜図７に示すように、本体天面１ａのフィルター６上方に位置して設けられた開口部１０と、この開口部１０を開閉する蓋部１１を備え、開口部１０からフィルター６を着脱可能に設けている。
【００４６】
また、蓋部１１に一体的に連結された連結手段としての枠体１２を有し、蓋部１１を操作することにより枠体１２を介してフィルター６を本体１内に装着および引き出し可能に設けている。なお、フィルター６は枠体１２にフィルター形状を維持した状態で着脱可能に保持されている。
【００４７】
また、送風手段は遠心送風機７からなり、この遠心送風機７をフィルター６の下流側にフィルター６に面して前傾して配置するとともに、遠心送風機７の前傾する吐出方向に面して本体天面１ａに吹出口４を設けた構成としている。
【００４８】
上記構成により、本体天面１ａにフィルター６の取出口として開口部１０を設け、この開口部１０を開閉する蓋部１１を設けることにより、通常使用時は蓋部１１により開口部１０を閉鎖してフィルター６の空気清浄機能を発揮させ、フィルター６を交換する場合には、蓋部１１を外して開口部１０を開き、本体１内部に配置されているフィルター６を、本体１内部のフィルター６ガイドに沿って開口部１０方向へスライドさせることにより、開口部１０から本体１外へ取り出すことができる。さらに新しいフィルター６を挿入して開口部１０に蓋部１１を装着すれば、交換作業が完了するので、従来のような本体１から前面パネルを分離して、本体１に組み込まれたフィルター６を前面に引き出す手間のかかる交換作業をする必要がなく、本体天面１ａから簡単にフィルター６交換を行うことができるという使い勝手の良い空気清浄機を提供できる。
【００４９】
また、連結手段としての枠体１２は蓋部１１とフィルター６を連結するものであり、蓋部１１と枠体１２とを一体的に形成することにより、フィルター６を交換するときには、蓋部１１の側面に設けた取手部１５を利用して蓋部１１を引き上げることで、枠体１２を介して本体１内からフィルター６を引き出すことができ、フィルター６に付着した粉塵にほとんど触れることなくフィルター６を交換することができるので、交換作業が容易となり、使い勝手の良い空気清浄機を提供できる。
【００５０】
また、フィルター６をはめ込むことが可能な枠体１２とすることにより、フィルター６を交換するときには、蓋部１１に設けた取手部１５を利用して蓋部１１を引き上げることで、本体１内部からフィルター６を引き出すことができ、フィルター６に付着した粉塵にほとんど触れることなくフィルター６を交換することができるとともに、蓋部１１と一体的に連結した枠体１２によりフィルター６を保持することができるので、剛性の低い構造のフィルター６でも枠体１２により平面形状を維持して、フィルター機能を充分発揮することができ、蓋部１１を用いた着脱操作時においてフィルター６の変形を防止できるので、フィルター６交換がしやすく使い勝手の良い空気清浄機とすることができる。
【００５１】
また、枠体１２がフィルター６の補強部材として機能するので、交換部品をフィルター６のみとすることができ、消耗部品の費用を軽減することができる。
【００５２】
また、送風手段としての遠心送風機７を、フィルター６の下流側にフィルター６に面して前傾して配置することにより、フィルター６と遠心ファンを十分に近接して配置することができ、フィルター６と遠心送風機７の間の通風路５が短くなり、通風方向の変化も少ないので、圧損が小さくなるとともに、遠心送風機７の前傾する吐出方向に面して本体天面１ａに吹出口４を設ける構成とすることで、本体１内で遠心ファンを前傾して配置されるので、吹出口４に風向を変更するためのルーバーなどを設けなくても、浄化空気を仰角方向に吹き出すことができるので、本体１を壁際に配置して清浄化した空気を室内の中央に向けて吹き出すことができる。
【００５３】
（実施の形態３）
図８および図９に示すように、遠心送風機７をフィルター６の下流側で本体１内の後部に垂直に配置し、遠心送風機７の吐出方向に面して本体天面１ａの吹出口４を設けるとともに、本体天面１ａには吹出口４とフィルター６の間に操作部１３および制御部１４を配置した構成とする。
【００５４】
上記構成により、遠心送風機７をフィルター６の下流側の本体１内の後部に垂直に配置するとともに、遠心送風機７の吐出方向に面して本体天面１ａに吹出口４を配置したことで、本体１の運転停止や風量などの運転条件を変更する操作部１３と、この操作部１３からの指令に基づいて本体１の動作を制御する制御部１４を、フィルター６と遠心送風機７の間の空間に収納することができる。このように、本体１内のデッドスペースを有効利用して制御部１４と操作部１３を収納できるとともに、操作部１３を本体１正面の適正な位置に設定することができるので、本体１の操作性を向上することができる。
【図面の簡単な説明】
【００５５】
【図１】本発明の実施の形態１の空気清浄機の外観斜視図
【図２】同、空気清浄機の断面図
【図３】同、空気清浄機の側面図
【図４】本発明の実施の形態２の空気清浄機の外観斜視図
【図５】（イ）同、空気清浄機のフィルタ装着時の側面図、（ロ）同、空気清浄機のフィルタ分離時の側面図
【図６】同、空気清浄機の枠体（連結手段）とフィルターの関係を示す分解斜視図
【図７】同、空気清浄機の側面図
【図８】本発明の実施の形態３の空気清浄機の外観斜視図
【図９】同、空気清浄機の断面図
【図１０】従来の空気清浄機の断面図
【符号の説明】
【００５６】
１    本体
１ａ  本体天面
２    下方吸気口
３    側方吸気口
３ａ  傾斜辺
４    吹出口
５    通風路
６    フィルター
７    遠心送風機（送風手段）
８    傾斜部
９    第２の側方吸気口
１０  開口部
１１  蓋部
１２  枠体（連結手段）
【図１】
0004946890.tif 000002
【図２】
0004946890.tif 000003
【図３】
0004946890.tif 000004
【図４】
0004946890.tif 000005
【図５】
0004946890.tif 000006
【図６】
0004946890.tif 000007
【図７】
0004946890.tif 000008
【図８】
0004946890.tif 000009
【図９】
0004946890.tif 000010
【図１０】
0004946890.tif 000011